(57)【要約】      （修正有）【課題】揺動先端部組立体を流体力学的本体に回転連結する回転ジョイントおよび方法を提供する。【解決手段】揺動先端部組立体３０６を流体力学的本体３０２に回転連結する回転ジョイント３０４および方法が提示されている。揺動先端部組立体に連結するように構成されている回転プレートが、開いた中央部と、滑動上面と、滑動内面と、滑動下面とを含む滑動リングを含む。上部ジョイントプレートが、滑動上面および滑動内面に滑動可能に連結されており、滑動内面は流体力学的本体に連結するように構成されている。下部ジョイントプレートが、滑動下面および滑動内面に滑動可能に連結されており、開いた中央部を通して上部ジョイントプレートに連結されている。下部ジョイントプレートは流体力学的本体に連結するように構成されている。【選択図】図４
2014004993.tif 000002
【特許請求の範囲】
【請求項１】
揺動先端部組立体を流体力学的本体に回転連結する回転ジョイントであって、
揺動先端部組立体に連結するように動作可能であり、かつ開いた中央部、滑動上面、滑動内面、および滑動下面を含む滑動リングを含む、回転プレートと、
前記滑動上面および前記滑動内面に滑動可能に連結されており、かつ前記流体力学的本体に連結するように動作可能な、上部ジョイントプレートと、
前記滑動下面および前記滑動内面に滑動可能に連結されており、前記流体力学的本体に連結するように動作可能であり、かつ前記開いた中央部を通して前記上部ジョイントプレートに連結されている、下部ジョイントプレートと
を含む、回転ジョイント。
【請求項２】
前記下部ジョイントプレートに連結されておりかつ前記開いた中央部へのアクセスを可能にするように動作可能な下部アクセスカバープレートをさらに含む、請求項１に記載の回転ジョイント。
【請求項３】
前記回転ジョイントおよび前記流体力学的本体に連結されている揺動先端部アクチュエータをさらに含み、作動に応答して、前記揺動先端部組立体を前記流体力学的本体の平面において回転させるように動作可能な、請求項１に記載の回転ジョイント。
【請求項４】
前記揺動先端部アクチュエータは、線形油圧アクチュエータおよびボールねじアクチュエータのうちの１つを含む、請求項３に記載の回転ジョイント。
【請求項５】
作動されると、前記回転プレートを、前記上部ジョイントプレートおよび前記下部ジョイントプレートに対して回転位置に係止するように動作可能な係止機構をさらに含む、請求項１に記載の回転ジョイント。
【請求項６】
複数の軽減ポケットが前記上部ジョイントプレート上に設置されており、そこで前記上部ジョイントプレートは前記下部ジョイントプレートと嵌合し、
低摩擦磨耗ストリップ材料が、前記回転ジョイントと前記上部ジョイントプレートとの間にかつ前記回転ジョイントと前記下部ジョイントプレートとの間に設置されている、請求項１に記載の回転ジョイント。
【請求項７】
航空機の翼を含む前記流体力学的本体と、
翼先端部を含む前記揺動先端部組立体と
をさらに含む、請求項１に記載の回転ジョイント。
【請求項８】
前記流体力学的本体と前記揺動先端部組立体との間の分離部分付近に配置されており、かつ前記揺動先端部組立体の回転に応答して暴露され、作動されるように動作可能なナビゲーションライトをさらに含む、請求項７に記載の回転ジョイント。
【請求項９】
前記揺動先端部組立体は、前記流体力学的本体の固定部付近に配置されており、かつ前記揺動先端部組立体が回転する前に移動するように動作可能な移動パネルをさらに含む、請求項７に記載の回転ジョイント。
【請求項１０】
流体力学的本体に連結されている揺動先端部組立体のための回転ジョイントを動作させる方法であって、
回転プレートの滑動リングの滑動上面を、前記流体力学的本体に連結されている上部ジョイントプレートに連結している滑動可能な上部連結器において滑動させることと、
前記滑動リングの滑動下面を、滑動可能な下部連結器において、前記流体力学的本体に連結されている下部ジョイントプレートまで滑動させることと、
前記滑動リングの滑動内面を、前記滑動可能な上部連結器において前記上部ジョイントプレートまで、前記滑動可能な下部連結器において前記下部ジョイントプレートまで、滑動させることであり、前記下部ジョイントプレートは、前記滑動リングの開いた中央部を通して前記上部ジョイントプレートに連結されている、滑動させることと、
前記上部ジョイントプレートおよび前記下部ジョイントプレートに対する前記回転プレートの回転により、前記流体力学的本体の平面において前記揺動先端部組立体の位置を構成することであり、前記回転プレートは前記揺動先端部組立体に連結されている、構成することと
を含む、方法。
【請求項１１】
前記揺動先端部組立体が回転する前に、前記流体力学的本体の固定部付近に配置されている移動パネルを移動させることをさらに含む、請求項１０に記載の方法。
【請求項１２】
高速飛行条件中に回転することなく、前記揺動先端部組立体を、高速伸延構成で前記流体力学的本体と一直線に維持することをさらに含む、請求項１０に記載の方法。
【請求項１３】
前記揺動先端部組立体を前方に回転させて、高速流体力学的効率性をもたらすことをさらに含む、請求項１０に記載の方法。
【請求項１４】
航空機が地上にある場合に、前記揺動先端部組立体を完全な回転で後方に回転させて、回転格納位置を実現することをさらに含む、請求項１０に記載の方法。
【請求項１５】
前記上部ジョイントプレートおよび前記下部ジョイントプレートに対して、前記回転プレートの回転位置を係止することにより、前記位置を係止することをさらに含む、請求項１０に記載の方法。
【発明の詳細な説明】
【技術分野】
【０００１】
本開示の実施形態が、全般的に、流体力学的設計に関する。さらに詳細には、本開示の実施形態が、可変スイープ流体力学的本体の設計に関する。
【背景技術】
【０００２】
民間用航空機の翼長制限が、空港のゲートおよび誘導路のサイズ制限によって決定される可能性がある。揚力対抗力関連の効率性能などの航空機の性能を高めるために、長い翼長が用いられる可能性がある。航空機の性能を高めるために航空機の翼長を増大することは、空港のゲートおよび誘導路のサイズ制限に抵触する可能性がある。例えば、一世代の航空機のために建造された空港のゲートおよび誘導路は、より長い翼長を有して製造されている後世代の航空機には小さ過ぎる可能性がある。空港の制限により、より効率的に飛行するためにより長い翼長を有する航空機の、そのような空港の制限のある空港での利用が妨げられる可能性がある。
【発明の概要】
【課題を解決するための手段】
【０００３】
揺動先端部組立体を流体力学的本体に回転連結する回転ジョイントおよび方法が提示されている。揺動先端部組立体に連結することができる回転プレートが、開いた中央部と、滑動上面と、滑動内面と、滑動下面とを含む滑動リングを含む。上部ジョイントプレートが、滑動上面および滑動内面に滑動可能に連結されており、流体力学的本体に連結することができる。下部ジョイントプレートが、滑動下面および滑動内面に滑動可能に連結されており、開いた中央部を通して上部ジョイントプレートに連結されている。下部ジョイントプレートはまた、流体力学的本体に連結することができる。
【０００４】
回転ジョイントは、例えばタキシングおよびゲート駐機（ｇａｔｅ  ｐａｒｋｉｎｇ）ならびに他の用途の間に翼長の減少を容易にするために、揺動先端部が後方に回転することを可能にする。回転ジョイントは、翼先端部に取り付けられており、主翼ボックス構造物に取り付けられている上部プレートおよび下部プレートにより定位置にクランプ締めされている「ドーナツ型の」内部リングを含む。さらに、翼先端部は、高速航空力学的利益のために前方に回転させることができ、低速航空力学的利益のために途中まで後方に回転させることができ、タキシングおよびゲート駐機のためにさらに後方に回転させることができる。
【０００５】
このように、本開示の実施形態が、航空機の翼長を変更する能力を提供する。それにより、航空機は、飛行中にはより大きな翼長でより効率的でありながら、依然として既存の空港の制限内に適応し得る。
【０００６】
ある実施形態では、揺動先端部組立体を流体力学的本体に回転連結する回転ジョイントが、回転プレートと、上部ジョイントプレートと、下部ジョイントプレートとを含む。回転プレートは、揺動先端部組立体に連結し、開いた中央部と、滑動上面と、滑動内面と、滑動下面とを含む滑動リングを含む。上部ジョイントプレートは、滑動上面および滑動内面に滑動可能に連結されており、流体力学的本体に連結するように構成されている。下部ジョイントプレートは、滑動下面に滑動可能に連結されており、開いた中央部を通って上部ジョイントプレートに連結するように構成されており、流体力学的本体に連結するように構成されている。
【０００７】
別の実施形態では、流体力学的本体に連結されている揺動先端部組立体の回転を実現する方法が、揺動先端部組立体に連結するように構成されている回転プレートを提供する。該回転プレートは、開いた中央部と、滑動上面と、滑動内面と、滑動下面とを含む滑動リングを含む。本方法は、上部ジョイントプレートを滑動上面および滑動内面にさらに滑動可能に連結させ、上部ジョイントプレートは、流体力学的本体に連結するように動作可能である。本方法は、下部ジョイントプレートを滑動下面および滑動内面にさらに滑動可能に連結し、下部ジョイントプレートは、流体力学的本体に連結するように動作可能である。本方法は、開いた中央部を通して、下部ジョイントプレートを上部ジョイントプレートにさらに連結する。
【０００８】
さらなる実施形態では、流体力学的本体に連結されている揺動先端部組立体のための回転ジョイントを動作させる方法が、回転プレートの滑動リングの滑動上面を、滑動可能な上部連結器において、流体力学的本体に連結されている上部ジョイントプレートまで滑動させる。本方法はさらに、滑動リングの滑動下面を、滑動可能な下部連結器において、流体力学的本体に連結されている下部ジョイントプレートまで滑動させる。本方法はさらに、滑動リングの滑動内面を、滑動可能な上部連結器において上部ジョイントプレートまで、かつ滑動可能な下部連結器において下部ジョイントプレートまで滑動させ、下部ジョイントプレートは、滑動リングの開いた中央部を通して上部ジョイントプレートに連結されている。本方法は、次いで、上部ジョイントプレートおよび下部ジョイントプレートに対する回転プレートの回転により、流体力学的本体の平面に揺動先端部組立体の位置を設定し、回転プレートは揺動先端部組立体に連結されている。
【０００９】
本概要は、詳細な説明においてさらに後述される簡単な形でのコンセプトの選択を紹介するために提供されている。本概要は、特許請求されている主題の重要な特徴または本質的特徴を確認することを目的としておらず、特許請求されている主題の範囲を定める際の助けとして用いられることも目的としていない。
【００１０】
諸図を通じて同様の参照番号が同様の要素を指す以下の図と併せて考慮されると、本開示の実施形態のより完全な理解が、詳細な説明および特許請求の範囲を参照することにより得られる可能性がある。該図は、本開示の幅、範囲、縮尺、または適用性を限定することなく、本開示の理解を容易にするために提供されている。図面は必ずしも縮尺通りに作成されていない。
【図面の簡単な説明】
【００１１】
【図１】例示的な航空機の製造およびサービスの方法論の流れ図である。
【図２】航空機の例示的ブロック図である。
【図３】本開示の実施形態による揺動先端部組立体システムの例示的ブロック図である。
【図４】本開示の実施形態による、高速伸延構成（ｈｉｇｈ  ｓｐｅｅｄ  ｅｘｔｅｎｄｅｄ  ｃｏｎｆｉｇｕｒａｔｉｏｎ）および回転格納構成（ｒｏｔａｔｅｄ  ｓｔｏｗｅｄ  ｃｏｎｆｉｇｕｒａｔｉｏｎ）（地上位置）にある回転翼先端部を示す、揺動先端部組立体システムの例示的斜視図である。
【図５】本開示の実施形態による、高速伸延構成、低速回転後退構成（ｌｏｗ  ｓｐｅｅｄ  ｒｏｔａｔｅｄ  ｓｗｅｐｔ  ｂａｃｋ  ｃｏｎｆｉｇｕｒａｔｉｏｎ）、および回転格納構成にある回転翼先端部を示す、揺動先端部組立体システムの例示的斜視図である。
【図６】本開示の実施形態による、折畳み構成にある回転翼の回転ジョイントおよび移動パネルを示す、揺動先端部組立体システムの例示的斜視図である。
【図７】図６の揺動先端部組立体システムをより詳細に示す、揺動先端部組立体システムの図である。
【図７Ａ】本開示の実施形態による、滑動構成にある回転翼の回転ジョイントおよび移動パネルを示す、揺動先端部組立体システムの例示的斜視図である。
【図８】図７の揺動先端部組立体システムの一部分の拡大上面図である。
【図９】線Ａ−Ａに沿った、図６の揺動先端部組立体システムの横断面図である。
【図１０】本開示の実施形態による、揺動先端部組立体の回転ジョイントの嵌合円柱面の例示的斜視図である。
【図１１】図１０の回転ジョイントの上部固定ジョイントプレートの例示的斜視図である。
【図１２】図１０の回転ジョイントの内部中間回転ジョイントプレートの例示的斜視図である。
【図１３】図１０の回転ジョイントの下部固定ジョイントプレートの例示的斜視図である。
【図１４】本開示の実施形態による揺動先端部組立体の例示的斜視図である。
【図１５】本開示の実施形態による、流体力学的本体に連結されている揺動先端部組立体の回転を実現するプロセスを示す例示的流れ図である。
【図１６−１】本開示の実施形態による、流体力学的本体に連結されている揺動先端部組立体のための回転ジョイントを動作させるプロセスを示す例示的流れ図である。
【図１６−２】図１６−１の続きを示す流れ図である。
【図１７】本開示の実施形態による揺動先端部組立体システムの例示的作動機構の図である。
【発明を実施するための形態】
【００１２】
以下の詳細な説明は本来例示的であり、本開示または本開示の実施形態の用途および使途を限定することを目的としていない。特定のデバイス、技法、および用途の記載が、単に例として提供されている。本明細書に記載されている例に対する修正形態が、当業者に容易に明らかになるであろう。また、本明細書に定義されている一般原理は、本開示の趣旨および範囲から逸脱することなく、他の例および用途に適用されてもよい。本開示は、特許請求の範囲と一致した範囲であるべきであり、本明細書に記載され、示されている例に限定されない。
【００１３】
本開示の実施形態が、機能ブロック構成要素および／または論理ブロック構成要素ならびに種々の処理ステップの観点から本明細書に記載されている可能性がある。そのようなブロック構成要素は特定の機能を実施するように構成されている任意の数のハードウェアコンポーネント、ソフトウェアコンポーネント、および／またはファームウェアコンポーネントにより実現され得ることを理解すべきである。簡潔にするために、航空力学、アクチュエータ、車両構造物、流体力学、操縦系統、ならびに本明細書に記載されているシステムの他の機能的側面（およびシステムの個々の動作構成要素）に関連する従来の技法および構成要素が、本明細書には詳細に記載されていない可能性がある。さらに、当業者には、本開示の実施形態が種々のハードウェアおよびソフトウェアと併用して実践されてもよく、本明細書に記載されている実施形態は本開示の例示的実施形態に過ぎないことが理解されよう。
【００１４】
本開示の実施形態が、実践的な非限定的用途すなわち航空機の翼先端部のための回転ジョイントの文脈において本明細書に記載されているが、本開示の実施形態はそのような航空機の翼先端部の用途に限定されず、また、本明細書に記載されている技法は他の用途において利用されてもよい。実施形態が、例えば、限定ではなく、水中翼、風力タービン、潮力タービン、または他の流体力学的表面の揺動組立体のための回転ジョイントに適用可能であってもよい。
【００１５】
本明細書を読んだ後に当業者に明らかであろうように、以下は本開示の例および実施形態であり、これらの例に基づく動作に限定されない。他の実施形態が利用されてもよく、本開示の例示的実施形態の範囲から逸脱することなく、構造的変更が施されてもよい。
【００１６】
図面をより詳細に参照すると、本開示の実施形態が、図１に示されているような例示的な航空機の製造およびサービスの方法１００（方法１００）ならびに図２に示されているような航空機２００の文脈において記載されている可能性がある。生産前、方法１００は、航空機２００の仕様および設計１０４と資材調達１０６とを含んでいてもよい。製造中、航空機２００の構成要素および部分組立品の製造１０８（プロセス１０８）とシステムインテグレーション１１０とが行われる。その後、航空機２００は、運行１１４されるために、認証および引渡し１１２を経てもよい。顧客により運行されている間、航空機２００は、（修正、再構成、改修等も含む可能性がある）定期的な保守および補修１１６が予定される。
【００１７】
方法１００のプロセスの各々が、システムインテグレータ、第３者機関、および／またはオペレータ（例えば、顧客）により、実施されるかまたは実行されてもよい。本説明の目的のために、システムインテグレータには、例えば、任意の数の航空機メーカおよび大手システム下請業者が含まれていてもよいが、これらに限定されず、第３者機関には、例えば、任意の数の販売会社、下請業者、および供給業者が含まれていもよいが、これらに限定されず、オペレータには、例えば、航空会社、リース会社、軍機関、サービス組織等が含まれていてもよいが、これらに限定されない。
【００１８】
図１に示されている通り、方法１００により製造される航空機２００は、複数のシステム２２０を備えた機体２１８と、室内部２２２とを含んでいてもよい。システム２２０のハイレベルシステムの例には、推進システム２２４、電気系統２２６、油圧系統２２８、環境システム２３０、揺動先端部組立体の回転ジョイント２３２のうちの１つまたは複数が含まれる。また、任意の数の他のシステムが含まれていてもよい。航空宇宙産業の例が示されているが、本開示の実施形態が他の産業に適用されてもよい。
【００１９】
本明細書において具体化されている装置および方法は、方法１００の段階の任意の１つまたは複数の間に使用されてもよい。例えば、プロセス１０８の製造に対応する構成要素および部分組立品が、航空機２００が運行している間に生産される構成要素および部分組立品に類似した方法で作製されるかまたは製造されてもよい。さらに、１つまたは複数の装置実施形態、方法実施形態、またはそれらの組合せが、例えば航空機２００の組立てを実質的に促進することまたはコストを削減することにより、プロセス１０８およびシステムインテグレーション１１０の生産段階の間に利用されてもよい。同様に、装置実施形態、方法実施形態、またはそれらの組合せの１つまたは複数は、例えば、限定ではなく、保守および補修１１６まで、航空機２００が運行している間に利用されてもよい。
【００２０】
図３は、本開示の実施形態による揺動先端部組立体システム３００（システム３００）の例示的ブロック図である。システム３００は、流体力学的本体３０２と、回転ジョイント３０４と、揺動先端部組立体３０６と、アクチュエータ３０８（揺動先端部アクチュエータ３０８）と、コントローラ３１０とを含んでいてもよい。
【００２１】
流体力学的本体３０２は、回転ジョイント３０４に連結されていてもよく、揚力面および／または操縦翼面を含んでいてもよい。揚力面には、例えば、翼、先尾翼、水平安定装置、または他の揚力面が含まれる可能性があるが、これらに限定されない。操縦翼面には、例えば、スラット、昇降舵、フラップ、スポイラ、エレボン、または他の操縦翼面が含まれる可能性があるが、これらに限定されない。前述の通り、実施形態は、水中翼、風力タービン、潮力タービン、または他の流体力学的表面に適用可能であってもよい。したがって、航空力学的本体および流体力学的本体が、本文献において互換的に用いられる可能性がある。
【００２２】
回転ジョイント３０４は、揺動先端部組立体３０６を流体力学的本体３０２に回転連結して、揺動先端部組立体３０６を流体力学的本体３０２の平面５０４（図５）において回転させるように構成されている。回転ジョイント３０４は、必要な剛性を維持しながら、捻じり荷重、剪断負荷、および曲げ荷重を伝達するための嵌合円柱面３１６に依存する「ピンのない」ジョイントを含む。飛行に使用される設計限界が接地荷重（ｇｒｏｕｎｄ  ｌｏａｄｉｎｇ）条件を網羅するのに一般に十分であるため、これにより、より軽量の解決策が可能になる。嵌合円柱面３１６の表面は、低摩擦材料を使用して裏打ちされている。回転ジョイント３０４は、図９〜図１４の検討の文脈において、以下により詳細に検討される。
【００２３】
揺動先端部組立体３０６は、アクチュエータ３０８による回転ジョイント３０４の作動に応答して、流体力学的本体３０２の平面５０４において揺動または回転するように構成されている。揺動先端部組立体３０６は、流体力学的本体３０２の先端部を含んでいてもよい。一実施形態では、揺動先端部組立体３０６は、航空機２００（図２）の翼３０２の回転翼先端部３０６（図４）を含む。他の実施形態では、揺動先端部組立体３０６は、例えば、限定ではなく、操縦翼面の先端部、揚力面の先端部、または構造物の平面において揺動／回転することができる構造物の他の部分を含んでいてもよい。
【００２４】
揺動先端部組立体３０６は、流体力学的本体３０２の静止部６１０（図６）付近に配置されておりかつ揺動先端部組立体３０６が回転する前に移動するように構成されている移動パネル３１８を含んでいてもよい。移動パネル３１８は、回転状態にある間に揺動先端部組立体３０６の残部が占めるのに利用可能な空間領域（ｓｐａｃｅ  ｅｎｖｅｌｏｐｅ）を可能にする。移動パネル３１８は、例えば、折畳み構成の折畳みパネル６１２（図６）、滑動構成の滑動パネル７２６（図７Ａ）、または他の可動表面構成を含んでいてもよいが、これらに限定されない。移動パネル３１８は、以下に、図６および図７Ａの検討の文脈においてより詳細に検討される。
【００２５】
アクチュエータ３０８は、作動命令に応答して、揺動先端部組立体３０６を回転させるために、回転運動を引き起こして回転ジョイント３０４を作動させるように構成されている。アクチュエータ３０８には、例えば、線形油圧アクチュエータ、ボールねじアクチュエータ、または揺動先端部組立体３０６を回転させるために回転ジョイント３０４を作動させることができる他のアクチュエータが含まれる可能性があるが、これらに限定されない。
【００２６】
コントローラ３１０は、例えば、プロセッサモジュール３１２、メモリモジュール３１４、または他のモジュールを含んでいてもよいが、これらに限定されない。コントローラ３１０は、例えば、航空機システム、集中型航空機プロセッサ、専らシステム３００に使用されるハードウェアおよび／またはソフトウェアを含むサブシステムコンピュータモジュール、または他のプロセッサの一部として実装されていてもよいが、これらに限定されない。
【００２７】
コントローラ３１０は、種々の動作条件に基づいて、回転ジョイント３０４が揺動先端部組立体３０６を揺動／回転させるように制御するように構成されている。動作条件には、例えば、飛行条件、地上動作（ｇｒｏｕｎｄ  ｏｐｅｒａｔｉｏｎ）、または他の条件が含まれる可能性がある。飛行条件には、例えば、離陸、巡航、進入、着陸、または他の飛行条件が含まれる可能性があるが、これらに限定されない。地上動作には、例えば、着陸後の空力ブレーキ、タキシング、駐機、または他の地上動作が含まれる可能性があるが、これらに限定されない。コントローラ３１０は、回転ジョイント３０４から遠く離れて配置されていてもよいか、または回転ジョイント３０４に連結されていてもよい。
【００２８】
動作中、コントローラ３１０は、図４〜図５の検討の文脈において以下により詳細に説明されている通り、アクチュエータ３０８から回転ジョイント３０４へ作動命令を送信することにより回転ジョイント３０４を制御し、それにより、作動命令に応答して揺動先端部組立体３０６を揺動／回転させてもよい。コントローラ３１０により制御することができる、揺動先端部組立体システム３００の作動機構１７００が、以下に、図１７の検討の文脈においてより詳細に説明される。
【００２９】
プロセッサモジュール３１２は、システム３００の動作に関連する機能、技法、および処理タスクを実行するように構成されている処理論理を含む。特に、処理論理は、本明細書に記載されているシステム３００をサポートするように構成されている。例えば、プロセッサモジュール３１２は、種々の動作条件に基づいて、回転ジョイント３０４に揺動先端部組立体３０６を揺動／回転させるように指示してもよい。
【００３０】
プロセッサモジュール３１２は、本明細書に記載されている機能を実施するように設計されている、汎用プロセッサ、コンテントアドレッサブルメモリ、デジタル信号プロセッサ、特定用途向け集積回路、フィールドプログラマブルゲートアレイ、任意の適切なプログラム可能論理回路、ディスクリートゲートもしくはトランジスタ論理、ディスクリートハードウェアコンポーネント、または任意のそれらの組合せと共に実装されてもよいかまたは実現されてもよい。このようにして、プロセッサが、マイクロプロセッサ、コントローラ、マイクロコントローラ、状態機械等として実現されてもよい。また、プロセッサが、ハードウェアおよび／またはソフトウェアを含むコンピュータデバイスの組合せ、例えばデジタル信号プロセッサとマイクロプロセッサとの組合せ、複数のマイクロプロセッサ、デジタル信号プロセッサコアと併用されている１つもしくは複数のマイクロプロセッサ、または任意の他のそのような構成、として実装されてもよい。
【００３１】
メモリモジュール３１４は、システム３００の動作をサポートするようにフォーマットされているメモリを備えたデータ記憶領域を含んでいてもよい。メモリモジュール３１４は、システム３００の機能性をサポートする必要に応じて、データを記憶し、維持し、供給するように構成されている。例えば、メモリモジュール３１４は、飛行構成データ、揺動先端部組立体３０６の回転位置、または他のデータを記憶してもよい。
【００３２】
実践的実施形態では、メモリモジュール３１４は、例えば、不揮発性記憶装置（不揮発性半導体メモリ、ハードディスクデバイス、光ディスク装置等）、ランダムアクセス記憶装置（例えば、ＳＲＡＭ、ＤＲＡＭ）、または当技術分野で既知の記憶媒体の任意の他の形態を含んでいてもよいが、これらに限定されない。
【００３３】
メモリモジュール３１４は、プロセッサモジュール３１２に結合されていてもよく、例えば、限定されないが、データベース等を格納するように構成されていてもよい。さらに、メモリモジュール３１４は、データベースを更新するテーブル、または他のアプリケーションを含む動的更新データベースを表してもよい。メモリモジュール３１４はまた、プロセッサモジュール３１２により実行されるコンピュータプログラム、オペレーティングシステム、アプリケーションプログラム、プログラムを実行する際に使用される暫定データ、または他のアプリケーションを格納してもよい。
【００３４】
メモリモジュール３１４は、プロセッサモジュール３１２がメモリモジュール３１４から情報を読み出しそこへ情報を書き込むことができるように、プロセッサモジュール３１２に連結されていてもよい。例えば、プロセッサモジュール３１２は、メモリモジュール３１４にアクセスして、航空機の速度、揺動先端部組立体３０６の揺動位置、迎え角、マッハ数、高度、または他のデータにアクセスしてもよい。
【００３５】
例として、プロセッサモジュール３１２およびメモリモジュール３１４は、各特定用途向け集積回路（ＡＳＩＣ）内にあってもよい。また、メモリモジュール３１４は、プロセッサモジュール３１２に組み込まれていてもよい。ある実施形態では、メモリモジュール３１４は、プロセッサモジュール３１２により実行されるべき命令の実行中に一時的変数または他の中間情報を格納するキャッシュメモリを含んでいてもよい。
【００３６】
図４は、本開示の実施形態による、タキシング操作またはゲート駐機操作中の高速伸延構成４０４および回転格納構成４０６にある回転翼先端部３０６を示す、揺動先端部組立体システム４００（システム４００）の例示的斜視図である。
【００３７】
システム４００は、流体力学的本体３０２の例としての翼３０２と、揺動先端部組立体３０６の例としての回転翼先端部３０６と、回転ジョイント３０４とを含む。このように、翼３０２と流体力学的本体３０２とは、本文献において互換的に用いられる可能性がある。同様に、回転翼先端部３０６と揺動先端部組立体３０６とは、本文献において互換的に用いられる可能性がある。図４は、図３に示されている実施形態に類似している機能、材料、および構造を有していてもよい。したがって、共通の特徴、機能、および要素は、本明細書に重複して記載されない可能性がある。
【００３８】
回転ジョイント３０４を使用して翼長を増大することにより、回転翼先端部３０６が、飛行中に固定された高速伸延構成４０４にあろうと、タキシング操作もしくはゲート駐機操作中に回転格納構成４０６にあろうと、一定の構造的完全性が確実になる。また、回転翼先端部３０６は、低速飛行などの様々な飛行モードの飛行中に回転することができる。
【００３９】
図５は、本開示の実施形態による、高速伸延構成４０４、低速回転後退構成５０２、およびタキシング操作もしくはゲート駐機操作中に回転格納位置４０６にある回転翼先端部３０６を示す、揺動先端部組立体システム５００（システム５００）の例示的斜視図である。
【００４０】
回転翼先端部３０６は、空気力学的本体３０２から複数の位置まで、回転ジョイント３０４により展開されてもよい。該位置は、高速伸延構成４０４において回転翼先端部３０６を前方に位置決めすることにより始まってもよく、中間位置を通って展開位置まで移動する。展開位置には、例えば、低速回転後退構成５０２、タキシング操作もしくはゲート駐機操作中の回転格納位置４０６、または他の展開位置に、回転翼先端部３０６を位置決めすることが含まれる可能性があるが、これらに限定されない。
【００４１】
回転翼先端部３０６は、高速飛行条件中に回転することなく、高速伸延構成４０４において翼３０２と一直線に維持されてもよい。回転翼先端部３０６はまた、前方に回転して高速流体力学的効率性をもたらしてもよい。
【００４２】
回転翼先端部３０６は、低速回転後退構成５０２において部分的に後方に回転して、低速流体力学的効率性をもたらす。航空機が地上にある場合、回転翼先端部３０６は、回転格納位置４０６において完全な回転で後方に回転する。
【００４３】
図６は、本開示の実施形態による、折畳み構成６１２にある回転翼先端部３０６の回転ジョイント３０４および移動パネル３１８を示す、揺動先端部組立体システム６００の例示的斜視図である。回転ジョイント３０４は、翼３０２の翼桁６０２および回転翼先端部３０６に連結されている。図６に示されている実施形態では、移動パネル３１８は、翼３０２の静止部６１０（固定部６１０）付近に配置されており、回転翼先端部３０６が回転する前に折り畳まるように構成されている。移動パネル３１８は、蝶番リング６０６の周辺で折り畳まるかまたは回転し、回転翼先端部３０６が回転する前に回転翼先端部３０６の後縁６０８の下に降下する。
【００４４】
図７は、図６のシステム６００のより多くの詳細を示す、揺動先端部組立体システム７００（システム７００）の図である。システム７００は、翼３０２と、回転ジョイント３０４と、回転翼先端部３０６とを含んでいてもよい。回転ジョイント３０４は、アクチュエータ３０８からの作動命令に応答して、高速伸延構成４０４から、タキシング動作またはゲート動作中の回転格納位置４０６まで枢動中心６０４の周囲で回転翼先端部３０６を回転させるように構成されている。
【００４５】
回転翼先端部３０６が回転していない場合、移動パネル３１８は上昇位置７１０にある。
【００４６】
回転翼先端部３０６が回転する前に、移動パネル３１８は、パネル移動アクチュエータ７０２に応答して、折曲げ位置７１２に折れ曲がり、後縁６０８の下に降下する。パネル移動アクチュエータ７０２には、例えば、線形油圧アクチュエータ、ボールねじアクチュエータ、電動アクチュエータ、または他のアクチュエーション機構が含まれる可能性があるが、これらに限定されない。
【００４７】
低速回転後退構成５０２および回転格納位置４０６などの回転位置では、係止機構７０４が、回転ジョイント３０４の嵌合円柱面３１６に連結されており、回転翼先端部３０６を固定してもよい。このようにして、係止機構７０４は、上部ジョイントプレート９２０および下部ジョイントプレート９６０（図９）に対して回転プレート９４０の回転位置を係止することにより、回転翼先端部３０６の位置を係止する。係止機構７０４（係止アクチュエータ７０４）は、例えば、線形油圧アクチュエータ、ボールねじアクチュエータ、電動アクチュエータ、または他のアクチュエーション機構を含んでいてもよいが、これらに限定されない。
【００４８】
ナビゲーションライト７０６が、翼３０２の静止部６１０と回転翼先端部３０６との間の分離部分付近に配置されていてもよく、回転翼先端部３０６の回転時に暴露され、作動されるように構成されている。
【００４９】
図７Ａは、本開示の実施形態による、滑動構成７２６にある回転ジョイント３０４および移動パネル３１８を示す、揺動先端部組立体システム７００Ａ（システム７００Ａ）の例示的斜視図である。システム７００Ａは、システム７００に類似している機能、材料、および構造を有していてもよい。したがって、共通の特徴、機能、および要素は、本明細書に重複して記載されない可能性がある。
【００５０】
回転翼先端部３０６が高速伸延構成４０４にあるなどで回転していない場合、移動パネル３１８は閉鎖位置７２０にある。
【００５１】
回転翼先端部３０６が回転する前に、滑動構成７２６にある移動パネル３１８は、低速回転後退構成５０２で滑動位置７２２まで、またはタキシング操作もしくはゲート駐機操作中に回転格納位置４０６で滑動位置７２４まで、鋲７１８により支持されているローラ７１６上で滑動する。
【００５２】
図８は、図７の揺動先端部組立体システム７００の一部分の拡大上面図８００である。
【００５３】
図９は、線Ａ−Ａ７０８に沿った図７の揺動先端部組立体システム７００の横断面図９００である。回転ジョイント３０４は、嵌合円柱面９２０、９４０および９６０（図３の３１６）を含み、回転翼先端部３０６に連結されている。回転ジョイント３０４は、翼３０２の平面５０４（図５）において回転翼先端部３０６を回転させる。
【００５４】
嵌合円柱面９２０、９４０および９６０は、上部固定ジョイントプレート９２０と、内部中間回転ジョイントプレート９４０と、下部固定ジョイントプレート９６０とを含む。内部中間回転ジョイントプレート９４０は、回転翼先端部３０６に連結されており、作動命令に応答して、翼３０２の平面５０４において回転翼先端部３０６を回転させるように構成されている。上部固定ジョイントプレート９２０は、内部中間回転ジョイントプレート９４０にクランプ締めされており、翼３０２に連結されており、内部中間回転ジョイントプレート９４０を定位置に固定する。下部固定ジョイントプレート９６０もまた、内部中間回転ジョイントプレート９４０にクランプ締めされており、翼３０２に連結されており、内部中間回転ジョイントプレート９４０を定位置に固定する。
【００５５】
図１０は、本開示の実施形態による、揺動先端部組立体３０６の回転ジョイント３０４の嵌合円柱面９２０／９４０／９６０の例示的斜視図である。嵌合円柱面９２０／９４０／９６０は、上部固定ジョイントプレート９２０（上部ジョイントプレート９２０）と、内部中間回転ジョイントプレート９４０（回転プレート９４０）と、下部固定ジョイントプレート９６０（下部ジョイントプレート９６０）とを含む。回転プレート９４０は、揺動先端部組立体側（先端側）１００４で揺動先端部組立体３０６に、流体力学的本体側（主翼ボックス側）１００６で流体力学的本体３０２に、連結されている。下部アクセスカバープレート１００２が、下部ジョイントプレート９６０に結合されており、回転ジョイント３０４へのアクセスを可能にしている。
【００５６】
回転プレート９４０は、揺動先端部組立体３０６に連結しており、開いた中央部１０１０と、滑動上面１０１２と、滑動内面１０１４と、滑動下面１０１６とを含む滑動リング１００８を含む。
【００５７】
上部ジョイントプレート９２０は、滑動上面１０１２および滑動内面１０１４に滑動可能に連結されており、流体力学的本体３０２に連結している。
【００５８】
下部ジョイントプレート９６０は、滑動下面１０１６および滑動内面１０１４に滑動可能に連結されており、開いた中央部１０１０を通して上部ジョイントプレート９２０に連結されており、流体力学的本体３０２に連結している。
【００５９】
回転ジョイント３０４は、揺動先端部組立体３０６を流体力学的本体３０２に回転連結させるように構成されている。
【００６０】
動作中、揺動先端部組立体３０６の位置が、上部ジョイントプレート９２０および下部ジョイントプレート９６０に対する回転プレート９４０の回転により、流体力学的本体３０２の平面５０４（図５）に構成される。このようにして、回転プレート９４０の滑動リング１００８の滑動上面１０１２は、滑動可能な上部連結器１０１８において、流体力学的本体３０２に連結されている上部ジョイントプレート９２０まで滑動する。滑動リング１００８の滑動下面１０１６は、滑動可能な下部連結器１０２０において、流体力学的本体３０２に連結されている下部ジョイントプレート９６０まで滑動する。滑動リング１００８の滑動内面１０１４は、滑動可能な上部連結器１０１８において上部ジョイントプレート９２０まで、滑動可能な下部連結器１０２０において下部ジョイントプレート９６０まで滑動する。
【００６１】
図１１は、図１０の回転ジョイント３０４の上部ジョイントプレート９２０の例示的斜視図である。上部ジョイントプレート９２０は、成形上面（ｃｏｎｔｏｕｒｅｄ  ｕｐｐｅｒ  ｆａｃｅ）９２８と、下部ジョイントプレート９６０に結合する嵌合面９３０と、低摩擦磨耗面９２２と、軽減ポケット９３２とを含む。軽減ポケット９３２は上部ジョイントプレート９２０上に設置されており、そこで上部ジョイントプレート９２０は下部ジョイントプレート９６０と嵌合する。低摩擦磨耗面９２２は、回転プレート９４０と、上部ジョイントプレート９２０と、下部ジョイントプレート９６０との間に設置されている。低摩擦磨耗面９２２は、例えば、Ｋａｒｏｎの内張り、または他の低摩擦磨耗ストリップ材料を含んでいてもよいが、これらに限定されない。
【００６２】
図１２は、図１０の回転ジョイント３０４の回転プレート９４０の例示的斜視図である。回転プレート９４０は、軽減ポケット９３２と、作動マウントラグ（ａｃｔｕａｔｉｏｎ  ｍｏｕｎｔ  ｌｕｇ）９４４と、係止ピン位置９４６と、低摩擦磨耗面９２２とを含む。
【００６３】
図１３は、図１０の回転ジョイント３０４の嵌合円柱面３１６の下部ジョイントプレート９６０の例示的斜視図である。下部固定ジョイントプレート９６０は、軽減ポケット９３２と、上部ジョイントプレート９２０に結合する嵌合面９６４と、低摩擦磨耗面９２２と、前縁支持タブ９６８と、下部閉鎖パネル切込み部（ｌｏｗｅｒ  ｃｌｏｓｕｒｅ  ｐａｎｅｌ  ｒｅｂａｔｅ）９７０とを含む。
【００６４】
図１４は、本開示の実施形態による、揺動先端部組立体システム１４００（システム１４００）の例示的斜視図である。システム１４００は、翼桁６０２などの構造物により、流体力学的本体３０２に連結されており、かつ翼先端部桁１４０２などの構造物により揺動先端部組立体３０６に連結されている回転ジョイント３０４を含む。回転ジョイント３０４は、前述の通り嵌合円柱面３１６および下部ジョイントプレート９６０に結合されている下部アクセスカバープレート１００２と同様に、上部ジョイントプレート９２０と、回転プレート９４０と、下部ジョイントプレート９６０とを含む。
【００６５】
揺動先端部組立体３０６は、前述の通り、アクチュエータ３０８の作動に応答して、回転プレート９４０により、高速伸延構成４０４（図４）などの伸延した位置から展開位置まで回転することができる。例えば、展開位置には、低速回転後退構成５０２、回転格納構成４０６、またはシステム１４００の動作に適した他の展開位置が含まれる可能性があるが、これらに限定されない。
【００６６】
図１５は、本開示の実施形態による、流体力学的本体３０２に連結されている揺動先端部組立体３０６の回転を実現するプロセス１５００を示す、例示的流れ図である。方法１５００に関連して実施される種々のタスクは、ソフトウェア、ハードウェア、ファームウェア、コンピュータ可読ソフトウェア、コンピュータ可読記憶媒体、またはそれらの任意の組合せにより、機械的に実施されてもよい。方法１５００は任意の数の付加的タスクまたは代替的タスクを含んでいてもよいことを理解すべきであり、図１５に示されているタスクは図示の順序で実施される必要はなく、プロセス１５００は、本明細書には詳細に記載されていない追加の機能を有する、より包括的な手順または方法に組み込まれていてもよい。
【００６７】
例示目的で、方法１５００の以下の記載は、図１〜図１４に関連して前述されている要素に言及している可能性がある。実践的実施形態では、方法１５００の一部が、流体力学的本体３０２、回転ジョイント３０４、揺動先端部組立体３０６、アクチュエータ３０８、コントローラ３１０、移動パネル３１８、係止アクチュエータ７０４等のシステム３００の様々な要素により実施されてもよい。方法１５００は、任意の数の付加的タスクまたは代替的タスクを含んでいてもよく、図１５に示されている該タスクは、図示の順序で実施される必要はなく、方法１５００は、本明細書には詳細に記載されていない追加の機能を有する、より包括的な手順または方法に組み込まれていてもよいことを理解すべきである。
【００６８】
方法１５００は、揺動先端部組立体３０６などの揺動先端部組立体に連結するように動作可能な回転プレート９４０などの回転プレートを設けることにより開始してもよく、開いた中央部１０１０などの開いた中央部と、滑動上面１０１２などの滑動上面と、滑動内面１０１４などの滑動内面と、滑動下面１０１６などの滑動下面とを含む滑動リング１００８などの滑動リングを含んでいてもよい（タスク１５０２）。
【００６９】
方法１５００は、上部ジョイントプレート９２０などの上部ジョイントプレートを、滑動上面１０１２および滑動内面１０１４に滑動可能に連結させることであり、上部ジョイントプレート９２０は流体力学的本体３０２などの流体力学的本体に連結するように動作可能である、滑動可能に連結させることにより続行してもよい（タスク１５０４）。
【００７０】
方法１５００は、下部ジョイントプレート９６０などの下部ジョイントプレートを、滑動下面１０１６および滑動内面１０１４に滑動可能に連結させることであり、下部ジョイントプレート９６０は流体力学的本体３０２に連結するように動作可能である、滑動可能に連結させることにより続行してもよい（タスク１５０６）。
【００７１】
方法１５００は、下部ジョイントプレート９６０を、開いた中央部１０１０を通して上部ジョイントプレート９２０に連結させることにより続行してもよい（タスク１５０８）。
【００７２】
方法１５００は、下部ジョイントプレート９６０および上部ジョイントプレート９２０を流体力学的本体３０２に連結させることにより続行してもよい（タスク１５１０）。
【００７３】
方法１５００は、回転プレート９４０を揺動先端部組立体３０６に連結させることにより続行してもよい（タスク１５１２）。
【００７４】
方法１５００は、流体力学的本体３０２の平面５０４などの平面において揺動先端部組立体３０６を回転させるように回転プレート９４０を構成することにより続行してもよい（タスク１５１４）。
【００７５】
図１６は、本開示の実施形態による、流体力学的本体３０２に連結されている揺動先端部組立体３０６のための回転ジョイント３０４を動作させる方法１６００を示す、例示的流れ図である。方法１６００に関連して実施される種々のタスクは、ソフトウェア、ハードウェア、ファームウェア、コンピュータ可読ソフトウェア、コンピュータ可読記憶媒体、またはそれらの任意の組合せにより、機械的に実施されてもよい。方法１６００は任意の数の付加的タスクまたは代替的タスクを含んでいてもよいことを理解すべきであり、図１６に示されているタスクは図示の順序で実施される必要はなく、方法１６００は、本明細書には詳細に記載されていない追加の機能を有する、より包括的な手続きまたは方法に組み込まれていてもよい。
【００７６】
例示目的で、以下の方法１６００の記載は、図１〜図１４に関連して前述されている要素に言及している可能性がある。実践的実施形態では、方法１６００の一部が、流体力学的本体３０２、回転ジョイント３０４、揺動先端部組立体３０６、アクチュエータ３０８、コントローラ３１０、移動パネル３１８、係止アクチュエータ７０４等のシステム３００の様々な要素により実施されてもよい。方法１６００は、任意の数の付加的タスクまたは代替的タスクを含んでいてもよく、図１６に示されているタスクは図示の順序で実施される必要はなく、方法１６００は、本明細書には詳細に記載されていない追加の機能を有する、より包括的な手続きまたは方法に組み込まれていてもよいことを理解すべきである。
【００７７】
方法１６００は、回転プレート９４０などの回転プレートの滑動リング１００８などの滑動リングの滑動上面１０１２などの滑動上面を、滑動可能な上部連結器１０１８などの滑動可能な上部連結器において、流体力学的本体３０２に連結されている上部ジョイントプレート９２０などの上部ジョイントプレートまで滑動させることにより開始してもよい（タスク１６０２）。
【００７８】
方法１６００は、滑動リング１００８の滑動下面１０１６などの滑動下面を、滑動可能な下部連結器１０２０などの滑動可能な下部連結器において、流体力学的本体３０２に結合されている下部ジョイントプレート９６０などの下部ジョイントプレートまで滑動させることにより続行してもよい（タスク１６０４）。
【００７９】
方法１６００は、滑動リング１００８の滑動内面１０１４などの滑動内面を、滑動可能な上部連結器１０１８において上部ジョイントプレート９２０まで、滑動可能な下部連結器１０２０において下部ジョイントプレート９６０まで滑動させることであり、下部ジョイントプレート９６０は、滑動リング１００８の開いた中央部１０１０などの開いた中央部を通して上部ジョイントプレート９２０に連結されている、滑動させることにより続行してもよい（タスク１６０６）。
【００８０】
方法１６００は、揺動先端部組立体３０６が回転する前に流体力学的本体３０２の固定部６１０などの固定部付近に配置されている移動パネル３１８などの移動パネルを移動させることにより続行してもよい（タスク１６０８）。移動パネル３１８は、折畳み構成６１２で折り畳まるように構成されている折畳みパネル、滑動構成７２６で滑動するように構成されている滑動パネル、または移動するように構成されている他の可動表面構成を含んでいてもよい。
【００８１】
方法１６００は、上部ジョイントプレート９２０および下部ジョイントプレート９６０に対する回転プレート９４０の回転により流体力学的本体３０２の平面５０４などの平面において揺動先端部組立体３０６の位置を構成することであり、回転プレート９４０は揺動先端部組立体３０６に連結されている、構成することにより続行してもよい（タスク１６１０）。
【００８２】
方法１６００は、高速飛行条件中に回転することなく、高速伸延構成４０４などの高速伸延構成にある揺動先端部組立体３０６を流体力学的本体３０２と一直線に維持することにより続行してもよい（タスク１６１２）。
【００８３】
方法１６００は、揺動先端部組立体３０６を前方に回転させて、高速流体力学的効率性をもたらすことにより続行してもよい（タスク１６１４）。
【００８４】
方法１６００は、揺動先端部組立体３０６を、低速回転後退構成５０２などの低速回転後退構成で部分的に後方に回転させて、低速流体力学的効率性をもたらすことにより続行してもよい（タスク１６１６）。
【００８５】
方法１６００は、航空機２００などの航空機が地上にある場合に、揺動先端部組立体３０６を完全な回転で後方に回転させて、回転格納構成４０６などの回転格納構成を実現することにより続行してもよい（タスク１６１８）。
【００８６】
方法１６００は、上部ジョイントプレート９２０および下部ジョイントプレート９６０に対して回転プレート９４０の回転位置を係止することにより、（揺動先端部組立体３０６の）位置を係止することにより続行してもよい（タスク１６２０）。
【００８７】
図１７は、本開示の実施形態による、揺動先端部組立体システム３００の例示的作動機構１７００の図である。作動機構１７００は、回転ジョイント３０４と、揺動先端部アクチュエータ３０８と、係止アクチュエータ７０４と、揺動切換え弁１７０２と、モータ動作遮断弁１７０４と、手動開放部１７０６と、ラッチ切換え弁１７０８と、揺動センサ１７１２と、移動プレートセンサ１７１４とを含む。
【００８８】
動作中、作動機構１７００をコントローラ３１０により制御して、揺動先端部組立体３０６を回転させることができる。アクチュエータ３０８からの作動コマンドが回転ジョイント３０４に送信され、それにより、該作動コマンドに応答して、揺動先端部組立体３０６を揺動／回転させる。係止アクチュエータ７０４は、作動されると、上部ジョイントプレート９２０および下部ジョイントプレート９６０に対して回転位置にある回転プレート９４０を係止する。手動開放部１７０６は、回転プレート９４０を係止する係止アクチュエータ（ラッチ）７０４を手動で解除し、続いて、例えばハンドポンプ（図示せず）を用いて、流体を係止アクチュエータ７０４の後退側に行かせるように構成されている。係止アクチュエータ（ラッチ）７０４が後退した場合、揺動先端部組立体３０６は、例えば手で動かされる可能性がある。
【００８９】
このようにして、本開示の実施形態が、タキシングまたはゲート駐機中の翼長の減少を容易にするために、翼先端部が後方に回転することを可能にする回転ジョイントを提供する。さらに、翼先端部は、高速航空力学的利益のために前方に回転することができ、低速航空力学的利益のために部分的に後方に回転することができ、タキシングまたはゲート駐機のためにさらに後方に回転することができる。したがって、実施形態は、航空機の翼長を変更して、航空機が飛行中により大きな翼長を有してより効率的でありながら、依然として既存の空港の制限の範囲内に適応することを可能にする能力を実現する。
【００９０】
本文献に用いられている用語および語句、ならびにそれらの変形が、明示的に別段の定めがある場合を除いて、限定に反してオープンエンドと解釈されるべきである。上述の例として、用語「含む（ｉｎｃｌｕｄｉｎｇ）」は、「含むが、これに限定されない（ｉｎｃｌｕｄｉｎｇ，  ｗｉｔｈｏｕｔ  ｌｉｍｉｔａｔｉｏｎ）」等の意味に読まれるべきであり、用語「例」は、検討されている事項の完全に網羅されたまたは限定的なリストではなく、その事例を提供するのに用いられ、「従来の（ｃｏｎｖｅｎｔｉｏｎａｌ）」、「伝統的な（ｔｒａｄｉｔｉｏｎａｌ）」、「普通の（ｎｏｒｍａｌ）」、「標準的な（ｓｔａｎｄａｒｄ）」、「既知の（ｋｎｏｗｎ）」などの形容詞および類似した意味の用語が、記載されている事項を所与の期間にまたは所与の時間時点で利用可能な事項に限定していると見なされるべきではなく、代わりに、現在または未来の任意の時間に利用可能なまたは既知である可能性がある、従来の、伝統的な、普通の、または標準的な科学技術を包含すると読まれるべきである。
【００９１】
同様に、接続詞「および（ａｎｄ）」を用いて関連付けられている事項のグループが、それら事項の１つ１つがそのグループ内に存在することを必要としていると読まれるべきはなく、むしろ、明示的に別段の定めがある場合を除いて、「および／または（ａｎｄ／ｏｒ）」と読まれるべきである。同様に接続詞「または（ｏｒ）」を用いて関連付けられている事項のグループが、そのグループ内での相互排他性を必要としていると読まれるべきはなく、むしろ、やはり、明示的に別段の定めがある場合を除いて、「および／または（ａｎｄ／ｏｒ）」と読まれるべきである。さらに、本開示の事項、要素、または構成要素が単数で記載されているかまたは特許請求されている場合があるが、単数への限定が明示的に定められている場合を除いて、複数がその範囲内に入ると考えられる。いくつかの例における「１つまたは複数の（ｏｎｅ  ｏｒ  ｍｏｒｅ）」、「少なくとも（ａｔ  ｌｅａｓｔ）」、「が、これらに限定されない（ｂｕｔ  ｎｏｔ  ｌｉｍｉｔｅｄ  ｔｏ）」、または他の同様の語句などの拡大語（ｂｒｏａｄｅｎｉｎｇ  ｗｏｒｄ）および拡大語句の存在は、そのような拡大語句がなかった場合に、より狭い場合が意図されているかまたは必要とされていることを意味すると読まれてはならない。
【００９２】
上記記載は、共に「接続されている（ｃｏｎｎｅｃｔｅｄ）」か若しくは「連結されている（ｃｏｕｐｌｅｄ）」要素またはノードまたは特徴に言及している。本明細書に用いられるとき、「接続されている」は、明示的に別段の定めがある場合を除いて、１つの要素／ノード／特徴が、必ずしも機械的にではなく、別の要素／ノード／特徴に直接結合している（または直接連通している）ことを意味する。同様に、明示的に別段の定めがある場合を除いて、「連結されている」は、１つの要素／ノード／特徴が、必ずしも機械的にではなく、別の要素／ノード／特徴に直接的にもしくは間接的に結合されている（または直接的にもしくは間接的に連通してる）ことを意味する。したがって、図１〜図８が要素の例示的配置構成を示しているが、付加的介在要素、デバイス、特徴、または構成要素が本開示の実施形態において存在する可能性がある。
【００９３】
本文献では、用語「コンピュータプログラム製品」、「コンピュータ可読媒体」、「コンピュータ可読記憶媒体」等が、例えばメモリ、記憶装置、記憶ユニット、または他の非一過性媒体などの媒体を全般的に指すのに用いられる可能性がある。コンピュータ可読媒体のこれらの形態および他の形態は、プロセッサモジュール３１２による使用のための１つまたは複数の命令を格納して、プロセッサモジュール３１２に特定の動作を実施させることに関与している可能性がある。（コンピュータプログラムまたは他のブループの形でグループ化される可能性がある）一般に「コンピュータプログラムコード」または「プログラムコード」と呼ばれるそのような命令は、実行されるとシステム３００の機能を有効にする。
【００９４】
明示的に別段の定めがある場合を除いて、本明細書に用いられるとき、「動作可能な（ｏｐｅｒａｂｌｅ）」は、本明細書に記載されている、使用可能であること、使用またはサービスに適しているかまたはそのための準備ができていること、特定の目的に有用であること、および本明細書に記載されているかまたは所望されている機能を実施することができることを意味する。システムおよびデバイスに関連して、用語「動作可能な」は、システムおよび／またはデバイスが完全に機能的且つ較正されており、要素を含み、作動時に記載されている機能を実施するための適用可能な操作性要件を満たすことを意味する。システムおよび回路に関連して、用語「動作可能な」は、システムおよび／または回路が完全に機能的で較正されており、論理を含み、作動時に記載されている機能を実施するための適用可能な操作性要件を満たすことを意味する。
【符号の説明】
【００９５】
１００  航空機の製造およびサービスの方法、方法
１０４  仕様および設計
１０６  資材調達
１０８  構成要素および部分組立品の製造、プロセス
１１０  システムインテグレーション
１１２  認証および搬送
１１４  運行
１１６  保守および補修
２００  航空機
２１８  機体
２２０  システム
２２２  室内部
２２４  推進システム
２２６  電気系統
２２８  油圧系統
２３０  環境システム
２３２  揺動先端部組立体の回転ジョイント
３００、４００、５００、６００、７００、７００Ａ、１４００  揺動先端部組立体システム、システム
３０２  流体力学的本体、翼
３０４  回転ジョイント
３０６  揺動先端部組立体、回転翼先端部
３０８  アクチュエータ、揺動先端部アクチュエータ
３１０  コントローラ
３１２  プロセッサモジュール
３１４  メモリモジュール
３１６、９２０、９４０、９６０  嵌合円柱面
３１８  移動パネル
４０４  高速伸延構成
４０６  回転格納構成、回転格納位置
５０２  低速回転後退構成
５０４  平面
６０２  翼桁
６０４  枢動中心
６０６  蝶番リング
６０８  （回転翼先端部の）後縁
６１０  （流体力学的本体の）静止部、固定部
６１２  折畳みパネル、折畳み構成
７０２  パネル移動アクチュエータ
７０４  係止機構、係止アクチュエータ、ラッチ
７０６  ナビゲーションライト
７０８  線Ａ−Ａ
７１０  上昇位置
７１２  折曲げ位置
７１６  ローラ
７１８  鋲
７２０  閉鎖位置
７２２、７２４  滑動位置
７２６  滑動パネル、滑動構成
８００  図７の揺動先端部組立体システム７００の一部分の拡大上面図
９００  線Ａ−Ａに沿った図７の揺動先端部組立体システム７００の横断面図
９２０  上部（固定）ジョイントプレート
９２２  低摩擦磨耗面
９２８  成形上面
９３０、９６４  嵌合面
９３２  軽減ポケット
９４０  内部中間回転ジョイントプレート、回転プレート
９４４  作動マウントラグ
９４６  係止ピン位置
９６０  下部（固定）ジョイントプレート
９６８  前縁支持タブ
９７０  下部閉鎖パネル切込み部
１００２  下部アクセスカバープレート
１００４  揺動先端部組立体側、先端側
１００６  流体力学的本体側、主翼ボックス側
１００８  滑動リング
１０１０  開いた中央部
１０１２  滑動上面
１０１４  滑動内面
１０１６  滑動下面
１０１８  滑動可能な上部連結器
１０２０  滑動可能な下部連結器
１４０２  翼先端部
１５００  流体力学的本体３０２に連結されている揺動先端部組立体３０６の回転を実現する方法、方法
１５０２、１５０４、１５０６、１５０８、１５１０、１５１２、１５１４、１６０２、１６０４、１６０６、１６０８、１６１０、１６１２、１６１４、１６１６、１６１８、１６２０  タスク
１６００  流体力学的本体３０２に連結されている揺動先端部組立体３０６のための回転ジョイント３０４を動作させる方法、方法
１７００  作動機構
１７０２  揺動切換え弁
１７０４  モータ動作遮断弁
１７０６  手動開放部
１７０８  ラッチ切換え弁
１７１２  揺動センサ
１７１４  移動プレートセンサ
【図１】
2014004993.tif 000003
【図２】
2014004993.tif 000004
【図３】
2014004993.tif 000005
【図４】
2014004993.tif 000006
【図５】
2014004993.tif 000007
【図６】
2014004993.tif 000008
【図７】
2014004993.tif 000009
【図７Ａ】
2014004993.tif 000010
【図８】
2014004993.tif 000011
【図９】
2014004993.tif 000012
【図１０】
2014004993.tif 000013
【図１１】
2014004993.tif 000014
【図１２】
2014004993.tif 000015
【図１３】
2014004993.tif 000016
【図１４】
2014004993.tif 000017
【図１５】
2014004993.tif 000018
【図１６−１】
2014004993.tif 000019
【図１６−２】
2014004993.tif 000020
【図１７】
2014004993.tif 000021
【外国語明細書】
2014004993000001.pdf
2014004993000002.pdf
2014004993000003.pdf
2014004993000004.pdf